(57)【要約】【課題】ユーザーの不快感を軽減しつつ、先端部にベタ画像が形成されている原稿の長さの誤検知を抑えることができる複写機を提供する。【解決手段】原稿の主走査方向の長さを特定する長さ特定処理にて、ＬＥＤアレイを搭載した移動照射部を副走査方向に移動させながら、全てのＬＥＤ素子ブロックのうち、原稿の長さの特定に必要なＬＥＤ素子ブロックだけを、同時又は時間差で点灯させ、点灯中のＬＥＤ素子ブロックについてそれぞれＣＣＤによる受光結果を取得する点灯受光処理を実施した後、それぞれの受光結果に基づいて長さを特定する特定処理を実施するようにした。【選択図】図９
2015165626.tif 000002
【特許請求の範囲】
【請求項１】
原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記反射光を受光して原稿の画像を読み取る画像センサーと、前記移動照射手段を前記原稿台上の原稿に対向させた状態で、複数の前記分割光源における一部を点灯させて得られる前記画像センサーによる受光結果に基づいて前記原稿の主走査方向の長さを特定する長さ特定処理を実施する制御手段とを有する原稿読取装置において、
前記長さ特定処理にて、前記移動照射手段を副走査方向に移動させながら、全ての前記分割光源のうち、原稿の主走査方向における長さの特定に必要な前記分割光源だけを、同時又は時間差で点灯させ、点灯中の前記分割光源についてそれぞれ前記画像センサーによる受光結果を取得する点灯受光処理を実施した後、それぞれの受光結果に基づいて前記長さを特定する特定処理を実施するように、前記制御手段を構成したことを特徴とする原稿読取装置。
【請求項２】
請求項１の原稿読取装置において、
前記点灯受光処理にて、原稿の主走査方向における長さの特定に必要な複数の前記分割光源を同時に点灯させ、且つ、それら分割光源の同時点灯と、点灯中の前記分割光源についての前記受光結果の取得とを、それぞれ１回ずつだけ行う処理を実施するように、前記制御手段を構成したことを特徴とする原稿読取装置。
【請求項３】
請求項２の原稿読取装置であって、
前記点灯受光処理で同時に点灯される複数の前記分割光源がそれぞれ、互いに異なる定型サイズの原稿の端部位置に対向するものであることを特徴とする原稿読取装置。
【請求項４】
請求項１の原稿読取装置において、
前記点灯受光処理にて、原稿の主走査方向における長さの特定に必要な複数の前記分割光源を時間差で点灯させていきながら、それぞれ点灯中の前記分割光源についての前記受光結果の取得を順次行う処理を実施するように、前記制御手段を構成したことを特徴とする原稿読取装置。
【請求項５】
請求項４の原稿読取装置において、
前記原稿台の上に載置された原稿を前記原稿台の原稿載置面に向けて押さえるために、揺動軸を中心にして前記原稿台の原稿載置面を覆う閉位置と前記原稿載置面を露出させる開位置との間で揺動可能な原稿押さえ手段と、
前記原稿押さえ手段の開閉動作を検知する開閉検知手段とを設けるとともに、
前記開閉検知手段によって前記原稿押さえ手段の閉動作が検知されたことに基づいて、前記長さ特定処理を開始する処理を実施するように、制御手段を構成したことを特徴とする原稿読取装置。
【請求項６】
請求項５の原稿読取装置において、
前記点灯受光処理にて、原稿の主走査方向における長さの特定に必要な複数の前記分割光源のうち、前記揺動軸に対してより近い分割光源から順に点灯させる処理を実施するように、前記制御手段を構成したことを特徴とする原稿読取装置。
【請求項７】
原稿の画像を読み取る画像読取装置と、前記画像読取装置による画像の読取結果に基づいて記録部材に画像を形成する画像形成手段とを備える画像形成装置において、
前記画像読取装置として、請求項１乃至６の何れかの画像読取装置を用いたことを特徴とする画像形成装置。
【請求項８】
原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記反射光を受光して原稿の画像を読み取る画像センサーと、前記移動照射手段を前記原稿台上の原稿に対向させた状態で、複数の前記分割光源における一部を点灯させて得られる前記画像センサーによる受光結果に基づいて前記原稿の主走査方向の長さを特定する長さ特定処理を実施する制御手段とを有する原稿読取装置において、
前記長さ特定処理にて、全ての前記分割光源のうち、原稿の主走査方向における長さの特定に必要な前記分割光源をそれぞれ時間差で点灯させ、点灯中の前記分割光源についてそれぞれ前記画像センサーによる受光結果を取得する点灯受光処理を実施した後、それぞれの受光結果に基づいて前記長さを特定する特定処理を実施するように、前記制御手段を構成したことを特徴とする原稿読取装置。
【発明の詳細な説明】
【技術分野】
【０００１】
本発明は、光源に設けられた複数の分割光源から発した光を原稿台上の原稿に向けて照射して原稿面で得られた反射光を画像センサーで受光して原稿の画像を読み取る原稿読取装置、及びこれを搭載した画像形成装置に関するものである。
【背景技術】
【０００２】
従来、この種の原稿読取装置としては、特許文献１に記載のものが知られている。この原稿読取装置は、原稿台ガラスに対して開閉動作可能な原稿押さえ手段たる原稿圧板や、原稿台ガラスの表面に沿って主走査方向に並べられた複数のＬＥＤ素子を具備するＬＥＤアレイを搭載した光学台などを備えている。この光学台は、原稿台ガラスの上に載置された原稿の画像を光走査するために、原稿台ガラスの表面に沿った方向であり且つ主走査方向に直交する方向である副走査方向に移動できるようになっている。また、原稿圧板は、操作者によって原稿台ガラスに対して閉じられることで、原稿台ガラス上の原稿を原稿台ガラスに向けて押さえ付ける。この状態で操作者によって読取開始命令がなされると、原稿読取装置は、移動照射部たる光学台の複数のＬＥＤ素子から発した光をそれぞれ原稿に向けて照射して原稿面での反射光を得ながら、光学台を副走査方向に移動させる。そして、得られた反射光を画像センサーとしてのＣＣＤに受光させて原稿の画像を読み取らせる。
【０００３】
この原稿読取装置の制御部は、このようにして原稿の画像を読み取るのに先立って、原稿台ガラス上の原稿の主走査方向における長さを特定するための長さ特定処理を実施する。この長さ特定処理のために、原稿読取装置は、原稿圧板の近傍に、原稿圧板の開閉動作を検知する開閉センサーを具備している。操作者が原稿台ガラスの上に原稿を置くために原稿圧板を開くと、その開動作が開閉センサーによって検知される。原稿読取装置の制御部は、原稿圧板の開動作が検知されると、光学台を副走査方向における所定の待機位置から原稿の先端部に対向する原稿サイズ検知位置まで移動させる。その後、開閉センサーによって原稿圧板の閉動作の開始が検知されると、次のような長さ特定処理を実施する。即ち、ＬＥＤアレイに具備される複数のＬＥＤ素子のうち、原稿の主走査方向における長さの特定に必要な一部のＬＥＤ素子だけを点灯させ、その点灯によって得られた反射光をＣＣＤで受光する。そして、ＣＣＤの主走査方向の受光領域におけるそれぞれのＬＥＤ素子に対向する領域の受光量に基づいて、点灯させたＬＥＤ素子についてそれぞれその対向位置に原稿が存在しているか否かを判定し、判定結果に基づいて原稿の主走査方向の長さを特定する。
【０００４】
特許文献１では、原稿読取装置のかかる構成により、長さ特定処理の実施時にＬＥＤ光をユーザーの目に入れてしまうことによる不快感を軽減することができるとしている。
【発明の概要】
【発明が解決しようとする課題】
【０００５】
不快感を軽減できる理由につき、特許文献１においては具体的な説明がないが、次の通りであると考えられる。即ち、操作者が原稿台ガラスの上に原稿を置いて原稿圧板を閉じ始めると、原稿読取装置の制御部が長さ特定処理を開始してＬＥＤ素子を点灯させ始める。その後、原稿圧板が完全に閉じられると、原稿の存在しない領域であっても、原稿を押さえている原稿圧板の表面がＬＥＤ光を良好に反射させることから、その領域に原稿が存在しているものと誤検知されてしまう。このため、長さ特定処理については、原稿圧板が閉じられ始めてから、完全に閉じられる前の所定の閉じ角度になるまでの時間内に完了する必要がある。かかる時間では、原稿圧板が完全に閉じられていないことから、ＬＥＤ光が原稿台ガラスと原稿圧板との間から漏れてユーザーの目に入ってしまい易くなる。特許文献１に記載の原稿読取装置においては、ＬＥＤアレイに具備される全てのＬＥＤ素子のうち、原稿のサイズの特定に必要な一部のＬＥＤアレイだけを点灯させることで、全てのＬＥＤ素子を点灯させる場合に比べて光量を少なくする。これにより、原稿台ガラスと原稿圧板との間から同時に漏れてしまう光の量を低減して、ユーザーの不快感を低減することができるものと考えられる。
【０００６】
ところが、この原稿読取装置では、原稿の副走査方向における上流側端部（以下、先端部という）にベタ画像が形成されている場合に、原稿の主走査方向の長さを誤検知してしまうおそれがある。具体的には、原稿サイズ検知位置にある光学台は、原稿の先端部に対向している。一般的な原稿の場合には、先端部に余白が設けられていることが多いが、余白が設けられていない原稿も存在する。原稿の先端部に比較的大きなベタ画像が形成されていると、原稿のベタ画像の形成領域ではベタ画像によって光の反射が阻害されることから、原稿の無垢の表面に比べて光の反射量が大幅に少なくなる。すると、原稿の主走査方向におけるベタ画像の形成領域が原稿の存在しない領域として誤検知され、これによって原稿の長さが誤検知されてしまうのである。
【０００７】
本発明は、以上の背景に鑑みてなされたものであり、その目的とするところは、次のような原稿読取装置や画像形成装置を提供することである。即ち、ユーザーの不快感を軽減しつつ、先端部にベタ画像が形成されている原稿の長さの誤検知を抑えることができる原稿読取装置等である。
【課題を解決するための手段】
【０００８】
上記目的を達成するために、本発明は、原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記反射光を受光して原稿の画像を読み取る画像センサーと、前記移動照射手段を前記原稿台上の原稿に対向させた状態で、複数の前記分割光源における一部を点灯させて得られる前記画像センサーによる受光結果に基づいて前記原稿の主走査方向の長さを特定する長さ特定処理を実施する制御手段とを有する原稿読取装置において、前記長さ特定処理にて、前記移動照射手段を副走査方向に移動させながら、全ての前記分割光源のうち、原稿の主走査方向における長さの特定に必要な前記分割光源だけを、同時又は時間差で点灯させ、点灯中の前記分割光源についてそれぞれ前記画像センサーによる受光結果を取得する点灯受光処理を実施した後、それぞれの受光結果に基づいて前記長さを特定する特定処理を実施するように、前記制御手段を構成したことを特徴とするものである。
【発明の効果】
【０００９】
本発明によれば、ユーザーの不快感を軽減しつつ、先端部にベタ画像が形成されている原稿の長さの誤検知を抑えることができるという優れた効果がある。
【図面の簡単な説明】
【００１０】
【図１】実施形態に係る複写機を示す斜視図。
【図２】実施形態に係る複写機を示す概略構成図。
【図３】同複写機における画像形成部の内部構成の一部を拡大して示す部分構成図。
【図４】同複写機における４つの作像ユニットからなるタンデム部の一部を示す部分拡大図。
【図５】同複写機における画像読取ユニットを示す斜視図。
【図６】同画像読取ユニットのスキャナの移動照射部に搭載されたＬＥＤアレイを示す斜視図。
【図７】同スキャナの第２コンタクトガラス上に載置される原稿の位置と、原稿のサイズと、ＬＥＤアレイの点灯パターンとを説明するための平面模式図。
【図８】同スキャナにおける電気回路の一部を示すブロック図。
【図９】同複写機の読取制御部によって実施される長さ特定処理における処理フローを示すフローチャート。
【図１０】長さ特定処理において実施される点灯受光処理における処理フローを示すフローチャート。
【図１１】長さ特定処理において実施される特定処理における処理フローを示すフローチャート。
【図１２】第４実施例に係る複写機のスキャナの第２コンタクトガラス上に載置される原稿の位置と、原稿のサイズと、ＬＥＤアレイの点灯パターンとを説明するための平面模式図。
【発明を実施するための形態】
【００１１】
以下、本発明を、電子写真方式の複写機（以下、単に複写機という）に適用した実施形態について説明する。
まず、実施形態に係る複写機の基本的な構成について説明する。図１は、実施形態に係る複写機を示す斜視図である。この複写機は、画像形成手段としての画像形成部１と、シート供給装置４０と、画像読取ユニット５０とを備えている。画像読取装置としての画像読取ユニット５０は、画像形成部１の上に固定された原稿読取装置としてのスキャナ１５０と、これに支持されるシート搬送装置としての原稿自動搬送装置（以下、ＡＤＦという）５１とを有している。
【００１２】
図２は、実施形態に係る複写機を示す概略構成図である。同図において、画像形成部１のシート供給装置４０は、ペーパーバンク４１内に多段に配設された２つの給紙カセット４２、給紙カセットから記録シートを送り出す送出ローラ４３、送り出された記録シートを１枚ずつに分離する分離ローラ４５等を有している。また、画像形成部１の搬送路としての給紙路３７に対して、シート部材としての記録シートを搬送する複数の搬送ローラ対４６等も有している。
【００１３】
給紙カセット４２は、複数の記録シートを重ねたシート束の状態で内部に収容している。そして、一番上の記録シートに対して送出ローラ４３を押し当てている。送出ローラ４３が回転すると、シート束の一番上の記録シートが給紙カセット４２から送り出される。
【００１４】
給紙カセット４２の付近では、搬送ローラ対４６の第１搬送ローラと、これの側方（図２中右側方）に配設された第２搬送ローラとが互いに当接して搬送ニップを形成している。また、第１搬送ローラの下方には、分離ローラ４５が配設されており、第１搬送ローラに対して下方から当接して分離搬送ニップを形成している。
【００１５】
送出ローラ４３の回転駆動によって給紙カセット４２から送り出された記録シートは、搬送ローラ対４６の第１搬送ローラと、これの下方に配設された分離ローラ４５との当接による分離搬送ニップに進入する。この分離搬送ニップでは、記録シートの上面に当接する第１搬送ローラが図中反時計回り方向に回転駆動しながら、記録シートに対して給紙カセット４２側から給送路４４側に向かう搬送力を付与する。これに対し、記録シートの下面に当接する分離ローラ４５が図中反時計回り方向に回転駆動しながら、記録シートに対して給送路４４側から給紙カセット４２側に向かう搬送力を付与して、記録シートを給紙カセット４２に戻そうとする。
【００１６】
給紙カセット４２から記録シートが１枚だけの状態で送り出された場合、分離搬送ニップにおいて、第１搬送ローラと分離ローラ４５とが記録シートに対して互いに逆方向に向かう搬送力を付与する。これにより、分離ローラ４５の駆動伝達系に所定の閾値を超える負荷がかかる。すると、その駆動伝達系内に配設されたトルクリミッターが作動して、図示しないＤＣブラシレスモータからの駆動力の分離ローラ４５に対する伝達を切る。すると、分離ローラ４５が第１搬送ローラによって搬送される記録シートに連れ回るようになって、記録シートが分離搬送ニップから給送路４４に向けて排出される。
【００１７】
一方、給紙カセット４２から記録シートが複数枚重なった状態で送り出された場合、分離搬送ニップにおいて、第１搬送ローラが一番上の記録シートに対して給紙カセット４２側から給送路４４側に向かう搬送力を付与する。そして、一番上の記録シートを分離搬送ニップから給送路４４側に向けて送り出す。これに対し、分離ローラが下側に位置している記録シートに対して給送路４４側から給紙カセット側に向かう搬送力を付与して、下側の記録シートを分離搬送ニップ内から給紙カセット４２側に逆戻りさせる。これにより、分離搬送ニップでは、一番上の記録シートが他の記録シートから分離されて１枚の状態で給送路４４に送り出される。
【００１８】
給送路４４に進入した記録シートは、搬送ローラ対４６の搬送ニップに進入して、鉛直方向下方側から上方側に向かう搬送力を付与される。これにより、給送路４４内では、記録シートが画像形成部１の給紙路３７に向けて搬送される。
【００１９】
画像形成手段としての画像形成部１は、光書込装置２、黒，イエロー，マゼンタ，シアン（Ｋ，Ｙ，Ｍ，Ｃ）のトナー像を形成する４つの作像ユニット３Ｋ，３Ｙ，３Ｍ，３Ｃ、転写ユニット２４等を備えている。また、紙搬送ユニット２８、レジストローラ対３３、定着装置３４、スイッチバック装置３６、給紙路３７等も備えている。そして、光書込装置２内に配設された図示しないレーザーダイオードやＬＥＤ等の光源を駆動して、ドラム状の４つの感光体４Ｋ，４Ｙ，４Ｍ，４Ｃに向けてレーザー光Ｌを照射する。この照射により、感光体４Ｋ，４Ｙ，４Ｍ，４Ｃの表面には静電潜像が形成され、この潜像は所定の現像プロセスを経由してトナー像に現像される。
【００２０】
図３は、画像形成部１の内部構成の一部を拡大して示す部分構成図である。また、図４は、４つの作像ユニット３Ｋ，３Ｙ，３Ｍ，３Ｃからなるタンデム部の一部を示す部分拡大図である。なお、４つの作像ユニット３Ｋ，３Ｙ，３Ｍ，３Ｃは、それぞれ使用するトナーの色が異なる他はほぼ同様の構成になっているので、図４においては各符号に付すＫ，Ｙ，Ｍ，Ｃという添字を省略している。
【００２１】
作像ユニット３Ｋ，３Ｙ，３Ｍ，３Ｃは、それぞれ、感光体とその周囲に配設される各種装置とを１つのユニットとして共通の支持体に支持するものであり、画像形成部１本体に対して着脱可能になっている。そして、図４に示されるように、感光体４の周りに、帯電装置２３、現像装置６、ドラムクリーニング装置１５、除電ランプ２２等を有している。本複写機は、４つの作像ユニット３を、後述する中間転写ベルト２５に対してその無端移動方向に沿って並べるように対向配設した、いわゆるタンデム型の構成になっている。また、感光体４としては、アルミニウム等の素管に、感光性を有する有機感光材の塗布による感光層を形成したドラム状のものを用いている。但し、無端ベルト状のものを用いても良い。
【００２２】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００２３】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサー１０などを有している。
【００２４】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置からスリーブの回転方向に向けて順次並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００２５】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサー１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２６】
ドラムクリーニング装置１５としては、弾性体からなるクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置６に送ってリサイクルする。
【００２７】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００２８】
図３において、４つの作像ユニット３Ｋ，３Ｙ，３Ｍ，３Ｃの感光体４Ｋ，４Ｙ，４Ｍ，４Ｃには、これまで説明してきたプロセスによってＫ，Ｙ，Ｍ，Ｃトナー像が形成される。
【００２９】
４つの作像ユニット３Ｋ，３Ｙ，３Ｍ，３Ｃの下方には、転写ユニット２４が配設されている。ベルト駆動装置としての転写ユニット２４は、複数のローラによって張架した中間転写ベルト２５を、感光体４Ｋ，４Ｙ，４Ｍ，４Ｃに当接させながら図中時計回り方向に無端移動させる。これにより、感光体４Ｋ，４Ｙ，４Ｍ，４Ｃと、無端状のベルト部材である中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，２６Ｙ，２６Ｍ，２６Ｃによって中間転写ベルト２５を感光体４Ｋ，４Ｙ，４Ｍ，４Ｃに向けて押圧している。これら１次転写ローラ２６Ｋ，２６Ｙ，２６Ｍ，２６Ｃには、それぞれ図示しない電源によって１次転写バイアスが印加されている。これにより、Ｋ，Ｙ，Ｍ，Ｃ用の１次転写ニップには、感光体４Ｋ，４Ｙ，４Ｍ，４Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像が形成される。
【００３０】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００３１】
この２次転写ニップの図中右側方には、レジストローラ対３３が配設されている。また、レジストローラ対３３のレジストニップの入口付近には、図示しないレジストセンサーが配設されている。図示しないシート供給装置からレジストローラ対３３に向けて搬送されてくる記録部材としての記録シートは、その先端がレジストセンサーに検知された所定時間後に搬送が一時停止されて、レジストローラ対３３のレジストニップに先端を突き当てる。
【００３２】
記録シートの先端がレジストニップに突き当たると、レジストローラ対３３は、記録シートを中間転写ベルト２５上の４色トナー像に同期させ得るタイミングでローラ回転駆動を再開して、記録シートを２次転写ニップに送り出す。２次転写ニップ内では、中間転写ベルト２５上の４色重ね合わせトナー像が２次転写電界やニップ圧の作用によって記録シートに一括２次転写され、記録シートの白色と相まってフルカラー画像となる。２次転写ニップを通過した記録シートは、中間転写ベルト２５から離間して、紙搬送ベルト２９のおもて面に保持されながら、その無端移動に伴って定着装置３４へと搬送される。
【００３３】
２次転写ニップを通過した中間転写ベルト２５の表面には、２次転写ニップで記録シートに転写されなかった転写残トナーが付着している。この転写残トナーは、中間転写ベルト２５に当接するベルトクリーニング装置によって掻き取り除去される。
【００３４】
定着装置３４に搬送された記録シートは、定着装置３４内における加圧や加熱によってフルカラー画像が定着させしめられた後、定着装置３４から排紙ローラ対３５に送られた後、機外へと排出される。
【００３５】
図２において、紙搬送ユニット２８および定着装置３４の下には、スイッチバック装置３６が配設されている。これにより、片面に対する画像定着処理を終えた記録シートが、切換爪で記録シートの進路を記録シート反転装置側に切り換えられ、そこで反転されて再び２次転写転写ニップに進入する。そして、もう片面にも画像の２次転写処理と定着処理とが施された後、排紙トレイ上に排紙される。
【００３６】
画像形成部１の上に固定されたスキャナ１５０は、移動照射部１５２を有している。移動照射部１５２は、原稿ＭＳに接触するようにスキャナ１５０のケーシング上壁に固定された図示しない第２コンタクトガラスの直下に配設されている。光源としてのＬＥＤアレイや、反射ミラーなどからなる光学系を具備する移動照射部１５２は、図中左右方向である副走査方向に移動することができる。そして、図中左側から右側に移動していく過程で、ＬＥＤアレイから発した光を第２コンタクトガラス上に載置された図示しない原稿で反射させた後、反射光を複数の反射ミラーで反射させながらスキャナ本体に固定された画像読取センサー１５３に導く。なお、移動照射部１５２は、図示の位置よりも少し左側の位置に移動して、スキャナ１５０のケーシング上壁に固定された図示しない第１コンタクトガラスの直下に位置することも可能である。
【００３７】
スキャナ１５０の上に配設されたＡＤＦ５１は、本体カバー５２に、読取前の原稿ＭＳを載置するための原稿載置台５３を保持している。加えて、シート部材としての原稿ＭＳを搬送するための搬送ユニット５４、読取後の原稿ＭＳをスタックするための原稿スタック台５５なども保持している。図５に示されるように、スキャナ１５０に固定された揺動軸たる蝶番１５９によって揺動可能に支持されている。そして、その揺動によって開閉扉のような動きをとり、開かれた状態でスキャナ１５０の上面の第１コンタクトガラス１５４や第２コンタクトガラス１５５を露出させる。原稿束の片隅を綴じた本などの片綴じ原稿の場合には、原稿を１枚ずつ分離することができないため、ＡＤＦによる搬送を行うことができない。そこで、片綴じ原稿の場合には、ＡＤＦ５１を図５に示されるように開いた後、読み取らせたいページが見開かれた片綴じ原稿を下向きにして第２コンタクトガラス１５５上に載せた後、ＡＤＦを閉じる。そして、図示しないコピースタートボタンを押す。
【００３８】
スキャナ１５０の移動照射部（１５２）は、第１コンタクトガラス１５４の直下の位置をホームポジションにしており、読取待機中にはそのホームポジションで停止している。コピースタートボタンが押されると、移動照射部（１５２）がホームポジションから第２コンタクトガラス１５５の直下に向けて移動し始める。そして、第２コンタクトガラス１５５の同図中における左側端部から右側端部に向けて移動していく。このとき、移動照射部（１５２）は、ＬＥＤアレイから発した光を原稿面で反射させて、反射光をＣＣＤ（１５３）に向けて導く。これにより、原稿の画像がＣＣＤによって原稿の先端側（副走査方向の上流側）から後端側に向けて順次読み取られていく。なお、ＡＤＦ５１は、原稿台たる第２コンタクトガラス１５５上に載置された原稿を第２コンタクトガラス１５５に向けて押さえ付ける原稿押さえ手段として機能している。
【００３９】
原稿が互いに独立した複数の原稿ＭＳを単に積み重ねた原稿束である場合には、その原稿ＭＳをＡＤＦ５１によって１枚ずつ自動搬送しながら、その画像をスキャナ１５０に順次読み取らせていくことができる。この場合、操作者は原稿束を原稿載置台５３上にセットした後、図示しないコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させながらスキャナ１５０の第１コンタクトガラス１５４の真上に通す。これにより、原稿ＭＳの第１面の画像が上述したホームポジションで停止したままの状態の移動照射部（１５２）によって走査されてＣＣＤ（１５３）に読み取られる。
【００４０】
ＡＤＦ５１とスキャナ１５０とを具備する画像読取ユニット５０は、ＡＤＦ５１の開閉角度を検知するロータリーエンコーダー等からなる開閉センサー１５７を有している。以下、ＡＤＦ５１の開閉角度について、ＡＤＦ５１がスキャナ１５０の第２コンタクトガラス１５５に接触して第２コンタクトガラス１５５を完全に覆う状態の開閉角度を０［°］として説明する。また、ＡＤＦ５１がほぼ鉛直方向に延在する姿勢になるまで開かれた状態の開閉角度を９０［°］として説明する。
【００４１】
図６は、移動照射部（１５２）に搭載された光源としてのＬＥＤアレイ１５２ａを示す斜視図である。図示のように、ＬＥＤアレイ１５２ａは、複数のＬＥＤ素子１５２ａ’を具備している。これらＬＥＤ素子１５２ａ’は、第１コンタクトガラス（１５４）の表面に沿いつつ、移動照射部（１５２）の移動方向に直交する方向である主走査方向に沿って一直線状に並んでいる。スキャナ１５０は、原稿（ＭＳ）の画像を読み取るときには、ＬＥＤアレイ１５２ａの全てのＬＥＤ素子１５２ａ’を点灯させた状態で移動照射部（１５２）を副走査方向に沿って原稿（ＭＳ）の先端側から後端側に向けて移動させる。
【００４２】
図７は、第２コンタクトガラス１５５上に載置される原稿の位置と、原稿のサイズと、ＬＥＤアレイ１５２ａの点灯パターンとを説明するための平面模式図である。同図は、第２コンタクトガラス１５５を鉛直方向の上方から示しており、第２コンタクトガラス１５５の直下に、移動照射部１５２、第１副走査サイズセンサー１６１、第２副走査サイズセンサー１６２などが配設されている。
【００４３】
同図において、実線の枠で囲まれたＡ５、ＨＬＴ、Ｂ５、十六開、ＬＴ、Ａ４、Ｆｏｏｌ、１０×１４”、ＬＧ、Ｂ４、八開、ＤＬＴ、Ａ３という文字は、それぞれ原稿のサイズを示している。また、点線や実線の枠で囲まれた数値は、それぞれ原稿の長手方向又は短手方向の寸法を示している。また、点線で囲まれたＳ１、Ｓ２、Ｓ３という文字は、それぞれサイズ検知処理時における主走査方向の受光量判定領域を示している。
【００４４】
第２コンタクトガラス１５５は、自らの平面の短手方向を原稿読取の際の主走査方向に沿わせつつ、長手方向を副走査方向に沿わせる姿勢で配設されている。そして、移動照射部１５２は、その長手方向を主走査方向に沿わせた姿勢で配設されており、図示しない移動機構によって副走査方向に移動することが可能になっている。つまり、移動照射部１５２は、第２コンタクトガラス１５５の長手方向に沿って往復移動することが可能である。第２コンタクトガラス１５５上に載置された原稿の画像を読み取る際には、移動照射部１５２は、副走査方向において、図中の左側から右側に向けて移動する。以下、原稿を読み取る際の副走査方向における図中の左側を読取時上流側という。また、図中の右側を読取時下流側という。
【００４５】
実施形態に係る複写機では、図中の太矢印の先端位置を原稿基準位置としている。この原稿基準位置は、第２コンタクトガラス１５５の２次元平面上にある４つのコーナーのうち、１つのコーナーの位置であり、このコーナーは、第２コンタクトガラス１５５の副走査方向における全域のうち、読取時の副走査方向の上流端に存在している。
【００４６】
図８は、実施形態に係る複写機のスキャナ（１５０）における電気回路の一部を示すブロック図である。同図において、制御手段としての読取制御部１７０は、図示しないＣＰＵ（Central Processing Unit）、ＲＡＭ（Random Access Memory）、ＲＯＭ（Read Only Memory）、不揮発性メモリーなどからなる。読取制御部１７０には、開閉センサー１５７、第１副走査サイズセンサー１６１、第２副走査サイズセンサー１６２、画像処理回路１７１、ＬＥＤ駆動回路１７２、モーター駆動回路１７３、ホームポジションセンサー１７５などが接続されている。同図に示される開閉センサー１５７、ＬＥＤアレイ１５２ａ、ＣＣＤ１５３の役割については、既に述べた通りであるので説明を省略する。
【００４７】
ホームポジションセンサー１７５は、透過型フォトセンサー等からなり、移動照射部（１５２）についてホームポジションに位置しているか否かを検知して、その検知結果を読取制御部１７０に出力するものである。また、ＬＥＤ駆動回路１７２は、読取制御部１７０からの信号に基づいて、ＬＥＤアレイ１５２ａの複数のＬＥＤ素子における点灯の入切を後述するブロック毎に制御するものである。また、画像処理回路１７１は、ＣＣＤ１５３からの信号に基づいて読取画像の画像データを構築するものであり、必要に応じてＣＣＤ１５３の主走査方向における所定領域の受光量の信号を読取制御部１７０に出力する。また、移動モーター１７４は、移動照射部（１５２）を副走査方向に移動させるためのものであって、ステッピングモーターからなっている。この移動モーター１７４に対する励磁はモーター駆動回路１７３によって制御されるが、駆動量や駆動方向などについては読取制御部１７０によって制御される。
【００４８】
読取待機時には、移動照射部１５２は上述したホームポジションに位置している。図７において、このホームポジションは第２コンタクトガラス１５５よりも図中の左側の位置であり、図示されていない。通常は、図示しないＡＤＦ（５１）が完全に閉じられていて第２コンタクトガラス１５５を覆っている状態になっている。このため、操作者は、第２コンタクトガラス１５５の上に原稿を載置するためには、ＡＤＦ（５１）を開く必要がある。操作者によってＡＤＦ（５１）が開かれ始めて、ＡＤＦ（５１）の開閉角度がそれまでの０［°］から上昇して３０［°］まで到達すると、スキャナ１５０に搭載された読取制御部（１７０）は、ＡＤＦ（５１）の開操作がなされ始めたことを認識する。そして、その認識に基づいて、移動照射部１５２をホームポジションから同図中の原稿サイズ検知位置ＤＰまで移動させる。なお、本明細書では、移動照射部１５２の副走査方向における読取時上流側の端を、移動照射部１５２の副走査方向の位置基準として説明している。このため、同図においては、原稿サイズ検知位置ＤＰを示す一点鎖線を、図中の移動照射部１５２における読取時上流側の端と同じ位置に示している。
【００４９】
移動照射部１５２のＬＥＤアレイ１５２ａは、主走査方向において８つのブロックに分割されている。そして、複数のＬＥＤ素子（１５２ａ’）の点灯の入切を、ブロック毎に制御することが可能になっている。つまり、同じブロックに存在するＬＥＤ素子同士に対しては、同時に電源の入切がなされるようになっている。かかる構成のＬＥＤアレイ１５２ａは、ＬＥＤアレイ１５２ａの各ブロックが、分割光源として機能している。
【００５０】
第１副走査サイズセンサー１６１、第２副走査サイズセンサー１６２は、それぞれ反射型フォトセンサーからなる。そして、第２コンタクトガラス１５５の真下に位置した状態で、第２コンタクトガラス１５５に向けて光を照射する。ＡＤＦ（５１）が開かれた直後の状態では、第１副走査サイズセンサー１６１の発光素子から出射された光が、第２コンタクトガラス１５５を通じて鉛直方向の真上に向けて進んでいく。このため、第１副走査サイズセンサー１６１は、自らの発光素子から発した光を反射光として受光素子で検知することがない。一方、第２コンタクトガラス１５５の平面上における全域のうち、第１副走査サイズセンサー１６１の真上の領域に原稿が置かれると、第１副走査サイズセンサー１６１の発光素子から出射された光が原稿面で反射して反射光となる。そして、この反射光が第１副走査サイズセンサー１６１の受光素子に受光される。このように、第１副走査サイズセンサー１６１は、自らの真上に原稿が存在している場合には、自らの受光素子によって所定の閾値を超える量の光を受光する（原稿を検知する）。これに対し、自らの真上に原稿が存在していない場合には、受光素子による受光量が閾値を下回る（原稿を検知しない）。第２副走査サイズセンサー１６２も同様に、その真上における原稿の存否に応じて原稿を検知したり、検知しなかったりする。
【００５１】
操作者は、どのようなサイズの原稿であっても、図示のように、その原稿の副走査方向における先端に存在する角を、第２コンタクトガラス１５５の原稿基準位置に位置させる状態で、原稿を第２コンタクトガラス１５５上に載置する。このとき、原稿のサイズと姿勢との組み合わせに応じて、原稿が、次に説明する３つの状態の何れかの状態になる。即ち、第１の状態は、原稿の副走査方向における読取時下流側の端部を、第１副走査サイズセンサー１６１、及び第２副走査サイズセンサー１６２の両方の真上にそれぞれ位置させる状態である。この状態では、第１副走査サイズセンサー１６１及び第２副走査サイズセンサー１６２の両方がそれぞれ原稿を検知する。第２の状態は、原稿が副走査方向における読取時下流側の端部を、２つのセンサーのうち、第１副走査サイズセンサー１６１の真上だけに位置させる状態である。この状態では、２つのセンサーのうち、第１副走査サイズセンサー１６１だけが原稿を検知する。第３の状態は、原稿が副走査方向における読取時下流側の端部を、２つのセンサーにおける何れの真上にも位置させない状態である。この状態では、２つのセンサーがそれぞれ原稿を検知しない。
【００５２】
原稿サイズ検知位置ＤＰに位置している移動照射部１５２は、原稿が第２コンタクトガラス１５５上に載置されると、その原稿の副走査方向における読取時上流側の端部に対向する。つまり、原稿サイズ検知位置ＤＰは、移動照射部１５２に対し、第２コンタクトガラス１５５上に載置された原稿の読取時上流側の端部を対向させる位置になっている。
【００５３】
操作者が第２コンタクトガラス１５５の上に原稿を載置した後、図示しないＡＤＦ（５１）を閉じ始めると、ＡＤＦ（５１）の開閉角度が９０［°］から低下し始める。そして、やがて開閉センサー（１５７）による開閉角度の検知結果が７０［°］まで低下する。読取制御部（１７０）は、開閉角度が７０［°］まで低下すると、ＡＤＦ（５１）の閉操作がなされ始めたと判断する。そして、その判断に基づいて、サイズ検知処理を開始する。
【００５４】
サイズ検知処理を開始した読取制御部（１７０）は、まず、第１副走査サイズセンサー１６１及び第２副走査サイズセンサー１６２について、上述した３つの状態のうち、何れの状態であるのかを判定する（以下、この判定結果を「状態判定結果」という）。また、ＬＥＤアレイ１５２ａの部分点灯による原稿の主走査方向の長さを特定するための長さ特定処理を開始する。この長さ特定処理において、ＬＥＤアレイ１５２ａを部分点灯させて原稿ＭＳの主走査方向における長さを特定することで、長さ特定処理の実施時にＬＥＤアレイ１５２ａの光をユーザーの目に入れてしまうことによる不快感を軽減することができる。
【００５５】
なお、図７において、第２コンタクトガラス１５５の副走査方向における読取時上流側の端は、移動照射部１５２の原稿読取開始位置ＳＰになっている。原稿ＭＳの読取は、移動照射部１５２の副走査方向における読取時上流側の端を原稿読取開始位置ＳＰに位置させた状態で開始される。
【００５６】
また、読取制御部１７０は、長さ特定処理によって原稿ＭＳの主走査方向の長さを特定すると、その後、長さの特定結果と、上述した「状態判定結果」とに基づいて、原稿ＭＳの平面サイズ（例えばＡ４サイズなど）を特定する。
【００５７】
ところで、従来構成では、長さ特定処理において、原稿サイズ検知位置ＤＰにある移動照射部１５２に対して対向する原稿ＭＳの先端部が余白になっていることを前提にしているが、先端部に余白が設けられていない原稿ＭＳも存在する。例えば、原稿ＭＳの先端部であって且つ主走査方向における第１判定領域Ｓ１にベタ画像が形成されているとする。そして、ＬＥＤアレイ１５２ａの第５ブロックのＬＥＤ素子１５２ａ’が原稿ＭＳの先端部のベタ画像に対向していたとする。すると、そのＬＥＤ素子からの光の原稿面での反射をベタ画像が阻害してしまう。このため、ＣＣＤ１５３による第１判定領域Ｓ１における受光量は、ベタ画像が存在しない場合に比べて大幅に少なくなる。これにより、本来であれば、第１判定領域Ｓ１について前記受光量が閾値を上回って原稿有りと判断されるべきところ、前記受光量が閾値を上回らなくなって原稿無しが誤検知されてしまうのである。
【００５８】
次に、実施形態に係る複写機の特徴的な構成について説明する。
図９は、読取制御部１７０によって実施される長さ特定処理における処理フローを示すフローチャートである。読取制御部１７０は、長さ特定処理を開始すると、まず、点灯受光処理を実施した後（ステップ１：以下、ステップをＳと記す）、特定処理を実施する（Ｓ２）。
【００５９】
図１０は、長さ特定処理において実施される点灯受光処理（Ｓ１）における処理フローを示すフローチャートである。読取制御部１７０は、点灯受光処理を開始すると、まず、移動モーター１７４の逆転を開始させて（Ｓ１ａ）、原稿サイズ検知位置ＤＰに位置する移動照射部１５２を副走査方向において原稿読取開始位置ＳＰに向けて移動させ始める。次に、部分点灯・取得記憶処理（Ｓ１ｂ）を実施する。この部分点灯・取得記憶処理では、ＬＥＤアレイ１５２ａにおける第１プロックから第８ブロックまでのうち、原稿ＭＳの主走査方向における長さの特定に必要なブロックのＬＥＤ素子１５２ａ’だけを同時又は時間差で点灯させる。より詳しくは、長さの特定に必要なブロックとして、第１判定領域Ｓ１、第２判定領域Ｓ２、第３判定領域に対応する第５ブロック、第６ブロック、第７ブロックのＬＥＤ素子１５２ａ’だけを同時又は時間差で点灯させる。そして、点灯中のブロックについてそれぞれＬＥＤ素子１５２ａ’を原稿読取開始位置ＳＰに向けて移動させながら、原稿ＭＳにおける副走査方向の幅をもった領域でＬＥＤ光を反射させてＣＣＤ１５３に受光させる。そして、それぞれの受光結果を取得してＲＡＭ等の記憶回路に記憶する。
【００６０】
図１１は、長さ特定処理において実施される特定処理（Ｓ２）における処理フローを示すフローチャートである。読取制御部１７０は、特定処理を開始すると、まず、点灯受光処理で記憶回路に記憶しておいた受光結果を読み込んだ後（Ｓ２ａ）、受光結果に基づいて原稿ＭＳの主走査方向の長さを特定する（Ｓ２ｂ）。その後、移動モーター１７４の停止タイミングが到来すると（Ｓ２ｃでＹ）、移動モーター１７４の逆転駆動を停止させて（Ｓ２ｄ）、移動照射部１５２を原稿読取開始位置ＳＰに停止させる。
【００６１】
以上のように、本複写機では、点灯受光処理（Ｓ１）において、原稿の長さの特定に必要な第５ブロック、第６ブロック、第７ブロックのＬＥＤ素子１５２ａ’を原稿読取開始位置ＳＰに向けて移動させながらＣＣＤ１５３による受光結果を取得する。かかる構成において、点灯したＬＥＤ素子１５２ａ’の上に原稿ＭＳが存在する場合には、原稿ＭＳにおける副走査方向の幅をもった領域で反射させた反射光をＣＣＤ１５３に受光させることになる。このように幅をもった領域が、図７に示される第１判定領域Ｓ１、第２判定領域Ｓ２、第３判定領域Ｓ３である。
【００６２】
本複写機において、第２コンタクトガラス１５５上に載置されている原稿ＭＳが先端部にベタ画像を有するものであって、そのベタ画像が原稿先端部の副走査方向の全域に延在しておらず、原稿先端部の副走査方向の部分的な領域だけに形成されているとする。そして、例えば、長さ特定処理の開始前に原稿サイズ検知位置ＤＰに位置している移動照射部１５２における第５ブロックのＬＥＤ素子１５２ａ’が、原稿の先端部のベタ画像に対向しているとする。この状態で長さ特定処理を開始した読取制御部１７０は、移動照射部１５２を副走査方向における原稿読取開始位置ＳＰに向けて移動させる。すると、移動する移動照射部１５２の第５ブロックのＬＥＤ素子１５２ａ’は、やがてベタ画像との対向位置から外れて原稿の先端部における無垢の表面に対向するようになる。このタイミングはベタ画像の副走査方向の長さによって異なってくる。ベタ画像の長さが比較的小さい場合には、点灯した第５ブロックのＬＥＤ素子１５２ａ’についてのＣＣＤ１５３による受光処理が終わる前に、そのＬＥＤ素子１５２ａ’が原稿の無垢の表面に対向することもある。この場合、そのＬＥＤ素子１５２ａ’上に原稿が存在しない場合に比べて、第１判定領域Ｓ１についてのＣＣＤ１５３による受光量が多くなることから、正常に原稿有りと判断される。よって、本複写機においては、移動照射部１５２を副走査方向に沿って原稿読取開始位置ＳＰに向けて移動させながら点灯受光処理（Ｓ１）を行うことで、先端部にベタ画像が形成されている原稿ＭＳの長さの誤検知を抑えることができる。
【００６３】
次に、実施形態に係る複写機に、より特徴的な構成を付加した各実施例の複写機について説明する。なお、以下に特筆しない限り、各実施例に係る複写機の構成は、実施形態と同様である。
［第１実施例］
第１実施例に係る複写機は、図１０に示される部分点灯・取得記憶処理Ｓ１ｂにおいて、１つの点灯態様についてだけ、ＬＥＤアレイ１５２ａの部分点灯と、ＣＣＤ１５３による受光結果の取得及び記憶とを実施する。具体的には、１つの点灯態様として、全てのＬＥＤ素子１５２ａ’のうち、図７における第５ブロック、第６ブロック、及び第７ブロックに対応するＬＥＤ素子１５２ａ’だけを点灯させる態様を採用している。それぞれのブロックは、分割光源として機能しているので、本複写機では、３つの分割光源を同時に点灯させる点灯態様を採用していることになる。
【００６４】
第１判定領域Ｓ１での反射光を得ることが可能な第５ブロックのＬＥＤ素子１５２ａ’は、Ａ５サイズ紙の縦方向の端部位置や、Ａ４サイズ紙の横方向の端部位置に対向するものである。また、第２判定領域Ｓ２での反射光を得ることが可能な第６ブロックのＬＥＤ素子１５２ａ’は、Ｂ５サイズ紙の縦方向の端部位置や、Ｂ４サイズ紙の横方向の端部位置に対向するものである。また、第３判定領域Ｓ３での反射光を得ることが可能な第７ブロックのＬＥＤ素子１５２ａ’は、Ａ４サイズ紙の縦方向の端部位置や、Ａ３サイズ紙の横方向の端部位置に対向するものである。よって、本複写機においては、１つの点灯態様で同時に点灯させる３つの分割光源（第５ブロック、第６ブロック、第７ブロック）がそれぞれ、互いに異なる定型サイズの原稿の端部位置に対向するものである。
【００６５】
本複写機の読取制御部１７０は、図１０に示される部分点灯・取得記憶処理（Ｓ１ｂ）において、まず、第５ブロック、第６ブロック、第７ブロックのＬＥＤ素子１５２ａ’を点灯させる。そして、第５ブロックに対応する第１判定領域Ｓ１についてのＣＣＤ１５３による受光量を取得して記憶回路に記憶する。同時に、第６ブロックに対応する第２判定領域Ｓ２についてのＣＣＤ１５３による受光量を取得して記憶回路に記憶する。また、同時に、第７ブロックに対応する第３判定領域Ｓ３についてのＣＣＤ１５３による受光量も取得して記憶回路に記憶する。
【００６６】
その後、読取制御部１７０は、図１１に示されるＳ２ａやＳ２ｂの工程において、記憶回路から読み込んだ第１判定領域Ｓ１についての受光量に基づいて、原稿の主走査方向の長さについて１９４ｍｍ以下であるか否かを判定する。具体的には、第１判定領域Ｓ１についての受光量が所定の閾値を上回った場合には、主走査方向における第１判定領域Ｓ１の真上に原稿ＭＳが存在していることになる。このため、原稿ＭＳの主走査方向の寸法について１９４ｍｍ以下でないと判定して、次に、第２判定領域Ｓ２についての受光量に基づく長さの判定を行う。これに対し、第１判定領域Ｓ１についての受光量が所定の閾値以下であった場合には、原稿の主走査方向の長さについて１９４ｍｍ以下であると特定する。
【００６７】
原稿の主走査方向の長さが１９４ｍｍ以下でなかった場合、読取制御部１７０は、記憶回路から読み込んだ第２判定領域Ｓ２についての受光量に基づいて、原稿の主走査方向の長さについて２４０ｍｍ未満であるか否かを判定する。そして、２４０ｍｍ未満であった場合には、原稿の主走査方向の長さを２４０ｍｍ未満であると特定する。
【００６８】
原稿の主走査方向の長さが２４０ｍｍ未満でなかった場合には、読取制御部１７０は、記憶回路から読み込んだ第３判定領域Ｓ３についての受光量に基づいて、原稿の主走査方向の寸法について２６７ｍｍ以下であるか否かを判定する。そして、この判定結果を原稿の主走査方向における長さであると特定する。
【００６９】
かかる構成においては、主走査方向の長さが２６７ｍｍ以上である比較的大きなサイズの原稿ＭＳが載置された場合であっても、部分点灯・取得記憶処理（Ｓ１ｂ）における部分点灯や受光量の取得を１つの点灯態様について行うのみである。このため、原稿ＭＳのサイズにかかわらず、点灯受光処理（Ｓ１）を迅速に行って、ＡＤＦ５１の原稿押さえ面でＬＥＤ光を反射させることによる長さの誤検知の発生を有効に抑えることができる。
【００７０】
［第２実施例］
特許文献１に記載の原稿読取装置においては、次のような長さ特定処理を実施している。即ち、ＬＥＤアレイに具備される複数のＬＥＤ素子のうち、予め定められた最小の定型サイズ紙に対応するＬＥＤ素子を点灯させ、その点灯によって得られた反射光をＣＣＤで受光する。そして、その受光量に基づいて、点灯したＬＥＤ素子の上に原稿が存在しているか否かを判断する。次に、そのＬＥＤ素子の上に原稿が存在している場合には、先よりも１サイズ上の定型サイズ紙に対応するＬＥＤ素子を点灯させ、その点灯によって得られたＣＣＤによる受光量に基づいて、点灯したＬＥＤ素子の上における原稿の存否を判断する。原稿の存在を確認しなくなるまで、前述のようなＬＥＤ素子の点灯と存否判断とを繰り返すことで、最終的に原稿の主走査方向の長さを特定する。
【００７１】
このような構成では、比較的大きな原稿が載置されると、長さ特定処理において原稿の長さを誤検知し易くなってしまう。具体的には、長さ特定処理については、原稿圧板（実施形態ではＡＤＦ５１）の開閉角度が７０［°］まで低下してから３０［°］に低下するまでの時間である「半開き時間」内で完了する必要がある。この一方で、長さ特定処理では、比較的大きなサイズの原稿が載置された場合に、次のような複雑な判断処理群を複数回に渡って繰り返し実施することになる。即ち、点灯したＬＥＤ素子上における原稿の存否をＣＣＤによる受光結果に基づいて判断し、その結果に基づいて、点灯するＬＥＤ素子を切り替えるか否かを判断するという一連の判断処理群である。比較的大きなサイズの原稿が載置されると、そのような複雑な判断処理群の繰り返しの実施によって長さ特定処理の実施時間が比較的長くなる。すると、長さ特定処理を「半開き時間」内に完了することが困難になって、原稿圧板（ＡＤＦ５１）をほぼ閉じた状態でも長さ特定処理を実施してしまうことがある。この場合、点灯したＬＥＤ素子の上に原稿ＭＳが存在していなくても原稿圧板の原稿押さえ面でＬＥＤ光を反射させることから、ＬＥＤ素子上での原稿有りを誤検知し、これによって原稿の長さを誤検知してしまうのである。特に、異常高温検知時の緊急停止処理のように、緊急を要する割り込み処理が偶然に長さ特定処理の実施時に発生した場合には、割り込み処理の実施によって時間の余裕が更に無くなるので、前述の誤検知を引き起こし易くなる。
【００７２】
一方、第２実施例に係る複写機は、図１０に示される部分点灯・取得記憶処理Ｓ１ｂにおいて、３つの点灯態様についてそれぞれ、ＬＥＤアレイ１５２ａの部分点灯と、ＣＣＤ１５３による受光結果の取得及び記憶とを実施する。具体的には、１つ目の点灯態様として、全てのＬＥＤ素子１５２ａ’のうち、図７における第５ブロックに対応するＬＥＤ素子１５２ａ’だけを点灯させる態様（以下、第１点灯態様という）を採用している。また、２つ目の点灯態様として、全てのＬＥＤ素子１５２ａ’のうち、第６ブロックに対応するＬＥＤ素子１５２ａ’だけを点灯させる態様（以下、第２点灯態様という）を採用している。また、３つ目の点灯態様として、全てのＬＥＤ素子１５２ａ’のうち、第７ブロックに対応するＬＥＤ素子１５２ａ’だけを点灯させる態様（以下、第３点灯態様という）を採用している。
【００７３】
読取制御部１７０は、部分点灯・取得記憶処理Ｓ１ｂにおいて、ＬＥＤアレイ１５２ａの各ブロックのうち、原稿の長さの特定に必要なブロックのＬＥＤ素子１５２ａを時間差で点灯させる。具体的には、まず、ＬＥＤアレイ１５２ａを第１点灯態様で部分点灯させながら、第１判定領域Ｓ１についてのＣＣＤ１５３による受光量を取得記憶する。次に、ＬＥＤアレイ１５２ａを第２点灯態様で部分点灯させながら、第２判定領域Ｓ２についてのＣＣＤ１５３による受光量を取得記憶する。最後に、ＬＥＤアレイ１５２ａを第３点灯態様で部分点灯させながら、第３判定領域Ｓ３についてのＣＣＤ１５３による受光量を取得記憶する。このような一連の処理フローにおいて、点灯したＬＥＤ素子１５２ａ’上における原稿ＭＳの存否を受光量に基づいて判断し、その結果に基づいて、点灯するＬＥＤ素子１５２ａ’を切り替えるか否かを判断するという複雑な判断処理群を行うことはない。
【００７４】
部分点灯・取得記憶処理Ｓ１ｂを終了した読取制御部１７０は、その後、特定処理における上記Ｓ２ａや上記Ｓ２ｂの工程において、第１実施例に係る複写機と同様にして、原稿ＭＳの主走査方向の長さを特定する。
【００７５】
かかる構成において、長さ特定処理の完了前にＡＤＦ５１が３０［°］未満の開閉角度まで閉じられてしまったとする。この場合でも、開閉角度が３０［°］まで低下した時点で点灯受光処理（Ｓ１）を終えていれば、ＡＤＦ５１の原稿押さえ面での光反射に起因する点灯ＬＥＤ素子１５２ａ’上での原稿有りの誤検知を引き起こすことがない。従来構成とは異なり、ＡＤＦ５１の「半開き時間」内に、長さ特定処理の全てを完了する必要はなく、少なくとも点灯受光処理（Ｓ１）を終えれば、ＡＤＦ５１の原稿押さえ面での光反射に起因する長さの誤検知の発生を回避することができるのである。しかも、原稿の長さの特定に必要な複数の点灯態様でそれぞれＬＥＤアレイの部分点灯及び受光結果の記憶を行う点灯受光処理（Ｓ１）は、特許文献１に記載の原稿読取装置とは異なり、次のような複雑な判断処理群を含まない。即ち、点灯したＬＥＤ素子１５２ａ’上における原稿ＭＳの存否をＣＣＤ１５３による受光結果に基づいて判断し、その結果に基づいて、点灯するＬＥＤ素子１５２ａ’を切り替えるか否かを判断するという一連の判断処理群である。このため、第２コンタクトガラス１５５上に比較的大きなサイズの原稿ＭＳが載置された場合において、本複写機における点灯受光処理（Ｓ１）の実施時間は、特許文献１の原稿読取装置における長さ特定処理よりも大幅に短くなる。つまり、従来構成では、複雑な判断処理群の繰り返しの実施によって長時間を要する長さ特定処理を「半開き時間」内に実施する必要があるのに対し、本複写機では、その長さ特定処理よりも大幅に短い点灯受光処理（Ｓ１）を「半開き時間」内に実施すればよい。この結果、本複写機においては、比較的大きなサイズの原稿ＭＳが載置された場合における長さの誤検知を抑えることができる。
【００７６】
また、本複写機では、部分点灯・取得記憶処理Ｓ１ｂにおいて、ＬＥＤアレイ１５２ａの部分点灯を１ブロックずつしか実施しないので、３ブロックを同時に部分点灯する第１実施例に係る複写機に比べて、ユーザーの眩しさによる不快感を軽減することができる。なお、比較的大きなサイズの原稿ＭＳが載置された場合における長さの誤検知を抑えるという点だけに着目すれば、部分点灯・取得記憶処理Ｓ１ｂにおいて移動照射部１５２を副走査方向い移動させなくてもよい。この場合、先端部にベタ画像が形成された原稿ＭＳでの長さの誤検知の発生を抑えることができなくなるが、比較的大きなサイズの原稿ＭＳが載置された場合における長さの誤検知については、その発生を抑えることができる。
【００７７】
ＬＥＤアレイ１５２ａにおいて、揺動軸たる蝶番１５９と、ＬＥＤ素子１５２ａ’との距離は、第７ブロック、第６ブロック、第５ブロックの順で徐々に近づいていく。即ち、３つのブロックの中では、第５ブロックが蝶番１５９に対して最も近い位置にある。読取制御部１７０は、点灯受光処理（Ｓ１）の部分点灯・取得記憶処理（Ｓ１ｂ）において、点灯態様を、第５ブロックに対応する第１点灯態様、第６ブロックに対応する第２点灯態様、第７ブロックに対応する第３点灯態様という順で切り替えていく。これは、予め定められた３つの点灯態様のうち、蝶番１５９に対してより近いブロックを点灯させる点灯態様から順に実施していることになる。
【００７８】
かかる構成では、ＡＤＦ５１の原稿押さえ面でＬＥＤ光を反射させてしまうことによる原稿長さの誤検知の発生をより抑えることができる。具体的には、既に述べたように、ＡＤＦ５１の開閉角度が３０［°］を僅かに下回った時点で、点灯受光処理（Ｓ１）が完了していない場合に、前述の誤検知を発生させる可能性がでてくる。但し、誤検知を発生させない場合もある。具体的には、ＡＤＦ５１が閉じられていく過程において、ＡＤＦ５１の原稿押さえ面と、ＬＥＤ素子１５２ａ’との距離は、開閉角度にかかわらず、第５ブロック＜第６ブロック＜第７ブロックという順で大きくなる。即ち、蝶番１５９に対してより近いブロックほど、ＡＤＦ５１の原稿押さえ面とＬＥＤ素子１５２ａ’との距離が小さくなる。これは、蝶番１５９に対してより近いブロックほど、原稿押さえ面でのＬＥＤ光の反射によって原稿有りの誤検知を引き起こし易くなることを意味している。「半開き時間」の終了時点に対応する３０［°］という開閉角度は、誤検知を最も引き起こし易い第５ブロックにおけるＡＤＦ５１の原稿押さえ面でのＬＥＤ光の反射による誤検知を回避できるギリギリの値である。開閉角度が２９［°］になって「半開き時間」が経過してしまった場合、第５ブロックでは、原稿押さえ面でのＬＥＤ光の反射による誤検知を引き起こす可能性がでてくるが、第６ブロックや第７ブロックでは、誤検知を引き起こす可能性は低い。よって、蝶番１５９に対してより近いブロックから順に点灯させていくことで、「半開き時間」内に長さ特定処理を実施できなかった場合における、原稿押さえ面でのＬＥＤ光の反射による原稿長さの誤検知の発生を抑えることができる。
【００７９】
［第３実施例］
第３実施例に係る複写機は、図１０に示される部分点灯・取得記憶処理Ｓ１ｂにおいて、２つの点灯態様についてそれぞれ、ＬＥＤアレイ１５２ａの部分点灯と、ＣＣＤ１５３による受光結果の取得及び記憶とを実施する。具体的には、１つ目の点灯態様として、全てのＬＥＤ素子１５２ａ’のうち、図７における第５ブロックに対応するＬＥＤ素子１５２ａ’、及び第６ブロックに対応するＬＥＤ素子１５２ａ’だけを点灯させる態様（以下、点灯態様Ａという）を採用している。また、２つ目の点灯態様として、全てのＬＥＤ素子１５２ａ’のうち、第６ブロックに対応するＬＥＤ素子１５２ａ’、及び第７ブロックに対応するＬＥＤ素子１５２ａ’だけを点灯させる態様（以下、点灯態様Ｂという）を採用している。
【００８０】
読取制御部１７０は、部分点灯・取得記憶処理Ｓ１ｂにて、まず、ＬＥＤアレイ１５２ａを点灯態様Ａで部分点灯させながら、第１判定領域Ｓ１についてのＣＣＤ１５３による受光量と、第２判定領域Ｓ２についてのＣＣＤ１５３による受光量とを取得記憶する。次に、ＬＥＤアレイ１５２ａを点灯態様Ｂで部分点灯させながら、第２判定領域Ｓ２についてのＣＣＤ１５３による受光量と、第３判定領域Ｓ３についてのＣＣＤ１５３による受光量とを取得記憶する。このような一連の処理フローにおいて、点灯したＬＥＤ素子１５２ａ’上における原稿ＭＳの存否を受光量に基づいて判断し、その結果に基づいて、点灯するＬＥＤ素子１５２ａ’を切り替えるか否かを判断するという複雑な判断処理群を行うことはない。
【００８１】
部分点灯・取得記憶処理Ｓ１ｂを終了した読取制御部１７０は、その後、特定処理における上記Ｓ２ａや上記Ｓ２ｂの工程において、第１実施例に係る複写機と同様にして、原稿ＭＳの主走査方向の長さを特定する。但し、第２判定領域Ｓ２については、点灯態様Ａ、点灯態様Ｂでそれぞれ受光量を記憶しているので、それら受光量の平均値に基づいて、原稿ＭＳの存否を判定する。かかる構成では、平均値を使用することで、第２判定領域Ｓ２についての原稿存否の検知精度を向上させることができる。
【００８２】
なお、この複写機においても、予め定められた２つの点灯態様のうち、蝶番１５９に対してより近いブロックを点灯させる点灯態様から順に実施していることになる。
【００８３】
［第４実施例］
図１２は、第４実施例に係る複写機のスキャナの第２コンタクトガラス上に載置される原稿の位置と、原稿のサイズと、ＬＥＤアレイの点灯パターンとを説明するための平面模式図である。第４実施例に係る複写機では、第１判定領域Ｓ１、第２判定領域Ｓ２、及び第３判定領域Ｓ３に加えて、基準判定領域Ｓ０においても、原稿の存否を判定する点が、第１実施例に係る複写機と異なっている。基準判定領域Ｓ０は、図中の太矢印で示される原稿基準位置の近傍の領域であり、ハガキのような非常に小さなサイズの原稿ＭＳが載置された場合であっても、確実にその原稿が位置する領域である。この基準判定領域Ｓ０における原稿ＭＳの存否を判定することで、第２コンタクトガラス１５５上における原稿ＭＳの載置の有無を判定することができる。
【００８４】
第４実施例に係る複写機は、図１０に示される部分点灯・取得記憶処理Ｓ１ｂにおいて、２つの点灯態様についてそれぞれ、ＬＥＤアレイ１５２ａの部分点灯と、ＣＣＤ１５３による受光結果の取得及び記憶とを実施する。具体的には、１つ目の点灯態様として、全てのＬＥＤ素子１５２ａ’のうち、図１２における第１ブロックに対応するＬＥＤ素子１５２ａ’、及び第５ブロックに対応するＬＥＤ素子１５２ａ’だけを点灯させる態様（以下、点灯態様Ｃという）を採用している。また、２つ目の点灯態様として、全てのＬＥＤ素子１５２ａ’のうち、第６ブロックに対応するＬＥＤ素子１５２ａ’、及び第７ブロックに対応するＬＥＤ素子１５２ａ’だけを点灯させる態様（点灯態様Ｂ）を採用している。
【００８５】
読取制御部１７０は、部分点灯・取得記憶処理Ｓ１ｂにて、まず、ＬＥＤアレイ１５２ａを点灯態様Ｃで部分点灯させながら、基準判定領域Ｓ０についてのＣＣＤ１５３による受光量と、第１判定領域Ｓ１についてのＣＣＤ１５３による受光量とを取得記憶する。次に、ＬＥＤアレイ１５２ａを点灯態様Ｂで部分点灯させながら、第２判定領域Ｓ２についてのＣＣＤ１５３による受光量と、第３判定領域Ｓ３についてのＣＣＤ１５３による受光量とを取得記憶する。このような一連の処理フローにおいて、点灯したＬＥＤ素子１５２ａ’上における原稿ＭＳの存否を受光量に基づいて判断し、その結果に基づいて、点灯するＬＥＤ素子１５２ａ’を切り替えるか否かを判断するという複雑な判断処理群を行うことはない。
【００８６】
部分点灯・取得記憶処理Ｓ１ｂを終了した読取制御部１７０は、その後、特定処理における上記Ｓ２ａや上記Ｓ２ｂの工程において、第１実施例に係る複写機と同様にして、原稿ＭＳの主走査方向の長さを特定する。但し、まず、基準判定領域Ｓ０についての受光量に基づいて原稿ＭＳの存否を判定し、判定結果が原稿無しである場合には、原稿無しエラー処理を実施して長さ特定処理を終了する点が第１実施例に係る複写機と異なっている。原稿無しエラー処理は、液晶ディスプレイに「コンタクトガラス上に原稿が置かれていません！」などのエラーメッセージを表示させる処理である。
【００８７】
第１実施例に係る複写機では、第２コンタクトガラス１５５上に原稿ＭＳが載置されなかった場合に、原稿ＭＳの主走査方向の長さについて１４８ｍｍであると誤検知してしまう。これに対し、第４実施例に係る複写機では、基準判定領域Ｓ０における原稿存否の定によって載置の有無を確認することで、前述の誤検知を回避することができる。
【００８８】
なお、この複写機においても、予め定められた２つの点灯態様のうち、蝶番１５９に対してより近いブロックを点灯させる点灯態様から順に実施していることになる。
【００８９】
以上に説明したものは一例であり、本発明は、次の態様毎に特有の効果を奏する。
［態様Ａ］
原稿（例えば原稿ＭＳ）を載置する原稿台（例えば第２コンタクトガラス１５５）と、前記原稿台の表面に沿った主走査方向に並ぶ複数の分割光源（例えばＬＥＤアレイ１５２ａの各ブロック）を具備する光源（例えばＬＥＤアレイ１５２ａ）のそれぞれの分割光源から発した光を前記原稿台上の原稿に向けて照射して原稿面での反射光を得ながら、前記表面に沿いつつ主走査方向に直交する方向である副走査方向に移動する移動照射手段（例えば移動照射部１５２）と、前記反射光を受光して原稿の画像を読み取る画像センサー（例えばＣＣＤ１５３）と、前記移動照射手段を前記原稿台上の原稿に対向させた状態で、複数の前記分割光源における一部を点灯させて得られる前記画像センサーによる受光結果に基づいて前記原稿の主走査方向の長さを特定する長さ特定処理を実施する制御手段（例えば読取制御部１７０）とを有する原稿読取装置において、前記長さ特定処理にて、前記移動照射手段を副走査方向に移動させながら、全ての前記分割光源のうち、原稿の主走査方向における長さの特定に必要な前記分割光源だけを、同時又は時間差で点灯させ、点灯中の前記分割光源についてそれぞれ前記画像センサーによる受光結果を取得する点灯受光処理（例えば工程Ｓ１）を実施した後、それぞれの受光結果に基づいて前記長さを特定する特定処理（例えば工程Ｓ２）を実施するように、前記制御手段を構成したことを特徴とするものである。
【００９０】
かかる構成においては、原稿のサイズの特定に必要な分割光源をそれぞれ副走査方向に移動させながら画像センサーによる受光結果を取得する。すると、点灯した分割光源の上に原稿が存在する場合には、原稿における副走査方向の幅をもった領域で分割光源からの光を反射させて画像センサーに受光させることになる。このとき、原稿台上に載置されている原稿が先端部にベタ画像を有するものであって、そのベタ画像が原稿先端部の副走査方向の全域に延在しておらず、原稿先端部の副走査方向の部分的な領域だけに形成されているとする。そして、例えば、長さ特定処理の開始前に光源における１つの分割光源を原稿の先端部のベタ画像に対向させている状態で長さ特定処理を開始して、前記分割光源の点灯と、移動照射手段の副走査方向への移動とを開始したとする。すると、副走査方向に移動する前記分割光源は、やがてベタ画像との対向位置から外れて原稿の先端部における無垢の表面に対向するようになる。このタイミングはベタ画像の副走査方向の長さによって異なってくるが、長さが比較的小さい場合には、点灯した前記分割光源についての反射光の受光処理を終える前に、その分割光源を原稿の無垢の表面に対向させるようになる。この場合、始めからその分割光源の上に原稿が存在していなかった場合に比べて最終的な受光量が多くなって、正常に原稿有りと判定することが可能になることから、原稿の長さの誤検知を抑えることができる。以上のように、態様Ａにおいては、移動照射手段を副走査方向に移動させながら点灯受光処理を行うことで、先端部にベタ画像が形成されている原稿の長さの誤検知を抑えることができる。
【００９１】
［態様Ｂ］
態様Ｂは、態様Ａにおいて、前記点灯受光処理にて、原稿の主走査方向における長さの特定に必要な複数の前記分割光源を同時に点灯させ、且つ、それら分割光源の同時点灯と、点灯中の前記分割光源についての前記受光結果の取得とを、それぞれ１回ずつだけ行う処理を実施するように、前記制御手段を構成したことを特徴とするものである。かかる構成では、部分点灯と、受光量の取得記憶との組み合わせを１回実施しただけで、原稿の主走査方向の長さを特定することができる。
【００９２】
［態様Ｃ］
態様Ｃは、態様Ｂであって、前記点灯受光処理で同時に点灯される複数の前記分割光源がそれぞれ、互いに異なる定型サイズの原稿の端部位置に対向するものであることを特徴とするものである。かかる構成では、点灯した分割光源の対向位置における定型サイズの原稿の存否を確認することができる。
【００９３】
［態様Ｄ］
態様Ｄは、態様Ａにおいて、前記点灯受光処理にて、原稿の主走査方向における長さの特定に必要な複数の前記分割光源を時間差で点灯させていきながら、それぞれ点灯中の前記分割光源についての前記受光結果の取得を順次行う処理を実施するように、前記制御手段を構成したことを特徴とするものである。
【００９４】
かかる構成において、「半開き時間」内に長さ特定処理を終えることができず、長さ特定処理の実施中に原稿圧板などの原稿押さえ手段がほぼ閉じられてしまったとする。この場合でも、「半開き時間」が経過してしまう直前に、全ての点灯態様についての反射光の受光結果を取得する点灯受光処理を終えていれば、原稿押さえ手段の表面で光反射させることに起因する原稿の長さの誤検知を引き起こすことがない。従来構成とは異なり、「半開き時間」内に、長さ特定処理の全てを完了する必要はなく、少なくとも点灯受光処理を終えれば、原稿押さえ手段の表面での光反射に起因する長さの誤検知の発生を回避することができるのである。しかも、予め定められた全ての点灯態様についてそれぞれ光源の部分点灯を行う点灯受光処理では、従来構成の長さ特定処理とは異なり、次のような複雑な判断処理群を行うことがない。即ち、点灯した分割光源の対向位置における原稿の存否を画像センサーによる受光結果に基づいて判断し、その結果に基づいて、点灯する分割光源を切り替えるか否かを判断するという一連の判断処理群である。このため、原稿台に比較的大きなサイズの原稿が載置されたことに起因して長さ特定処理に長時間を要してしまう従来構成における長さ特定処理の実施時間に比べて、態様Ｄにおける点灯受光処理の実施時間は大幅に短くなる。以上のように、従来構成では、複雑な判断処理群の繰り返しによって長時間を要してしまう長さ特定処理を「半開き時間」内に実施する必要があるのに対し、態様Ｄでは、その長さ特定処理よりも大幅に短い点灯受光処理を「半開き時間」内に実施すればよい。この結果、態様Ｄにおいては、比較的大きなサイズの原稿が載置された場合における長さの誤検知を抑えることができる。また、原稿のサイズの特定に必要な複数の分割光源を時間差で点灯させることで、点灯１回あたりの分割光源の点灯数を減らして、ユーザーの不快感をより軽減することができる。
【００９５】
［態様Ｅ］
態様Ｅは、態様Ｄにおいて、前記原稿台の上に載置された原稿を前記原稿台の原稿載置面に向けて押さえるために、揺動軸（例えば蝶番１５９）を中心にして前記原稿台の原稿載置面を覆う閉位置と前記原稿載置面を露出させる開位置との間で揺動可能な原稿押さえ手段（例えばＡＤＦ５１）と、前記原稿押さえ手段の開閉動作を検知する開閉検知手段（例えば開閉センサー１５７）とを設けるとともに、前記開閉検知手段によって前記原稿押さえ手段の閉動作が検知されたことに基づいて、前記長さ特定処理を開始する処理を実施するように、制御手段を構成したことを特徴とするものである。かかる構成では、ユーザーが原稿押さえ手段を閉じる際に、長さ特定処理を実施することができる。
【００９６】
［態様Ｆ］
態様Ｆは、態様Ｅにおいて、前記点灯受光処理にて、原稿の主走査方向における長さの特定に必要な複数の前記分割光源のうち、前記揺動軸に対してより近い分割光源から順に点灯させる処理を実施するように、前記制御手段を構成したことを特徴とするものである。かかる構成では、「半開き時間」内に長さ特定処理を実施できなかった場合における、原稿押さえ手段表面での分割光源光の反射による原稿長さの誤検知の発生を抑えることができる。
【００９７】
［態様Ｇ］
態様Ｇは、原稿の画像を読み取る画像読取装置（例えばスキャナ１５０）と、前記画像読取装置による画像の読取結果に基づいて記録部材に画像を形成する画像形成手段（例えば画像形成部１）とを備える画像形成装置において、前記画像読取装置として、態様Ａ〜Ｆの何れかを用いたことを特徴とするものである。
【００９８】
［態様Ｈ］
態様Ｈは、原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記反射光を受光して原稿の画像を読み取る画像センサーと、前記移動照射手段を前記原稿台上の原稿に対向させた状態で、複数の前記分割光源における一部を点灯させて得られる前記画像センサーによる受光結果に基づいて前記原稿の主走査方向の長さを特定する長さ特定処理を実施する制御手段とを有する原稿読取装置において、前記長さ特定処理にて、全ての前記分割光源のうち、原稿の主走査方向における長さの特定に必要な前記分割光源をそれぞれ時間差で点灯させ、点灯中の前記分割光源についてそれぞれ前記画像センサーによる受光結果を取得する点灯受光処理を実施した後、それぞれの受光結果に基づいて前記長さを特定する特定処理を実施するように、前記制御手段を構成したことを特徴とするものである。
【符号の説明】
【００９９】
ＭＳ：原稿
１：画像形成部（画像形成手段）
５１：ＡＤＦ（原稿押さえ手段）
１５０：スキャナ（原稿読取装置）
１５２：移動照射部（移動照射手段）
１５２ａ：ＬＥＤアレイ（光源）
１５２ａ’：ＬＥＤ素子
１５３：ＣＣＤ（画像センサー）
１５５：第２コンタクトガラス（原稿台）
１５７：開閉センサー（開閉検知手段）
１７０：読取制御部（制御手段）
【先行技術文献】
【特許文献】
【０１００】
【特許文献１】特許第４００６４１７号公報
【図１】
2015165626.tif 000003
【図２】
2015165626.tif 000004
【図３】
2015165626.tif 000005
【図４】
2015165626.tif 000006
【図５】
2015165626.tif 000007
【図６】
2015165626.tif 000008
【図７】
2015165626.tif 000009
【図８】
2015165626.tif 000010
【図９】
2015165626.tif 000011
【図１０】
2015165626.tif 000012
【図１１】
2015165626.tif 000013
【図１２】
2015165626.tif 000014